(57)【特許請求の範囲】
【請求項１】
複数の気密室より成る袋体に圧縮空気を供給・膨張させる空圧マッサージ器用圧迫具であって、前記袋体の接合端部に設けたスライドファスナの袋体端部を延設させた延設部にスライドファスナの開閉始端を設け、この開閉始端より内方に位置する袋体の延設部に、前記袋体の膨張時にスライドファスナを境界として発生する分力によってスライドファスナが下方に押し下げられるのを防止する端部領域を設けたことを特徴とする空圧マッサージ器用圧迫具。
【請求項２】
袋体の端部の全体又は一部を延設させた位置にスライドファスナの開閉始端を設けた請求項１に記載の空圧マッサージ器用圧迫具。
【発明の詳細な説明】
【０００１】
【発明の属する技術分野】
本発明は、圧縮空気の供給・排気によって気密室を有する袋体を膨張・収縮させて脚・腕等をマッサージする空圧マッサージ器用圧迫具に関する。
【０００２】
【従来の技術】
一般に、空圧マッサージ器用圧迫具は、複数個の気密室を並設してシート状に形成されており、この圧迫具を腕や脚などのマッサージ部位に巻き付けて装着する場合は、シート部材の両縁の接合端部に縫着したスライドファスナを開閉させて装着するようにしている。
【０００３】
このシート部材の各気密室に設けられた圧縮空気出入口と圧縮空気供給源とをそれぞれエアホースを介して接続し、気密室単位で圧縮空気の供給・排気を行い、脚や腕などのマッサージ部位の末梢から中枢に向かって、気密室を順次膨張・収縮させてマッサージを行うようにしている。
しかし、この圧迫具の使用に伴ってスライドファスナの開閉操作が繰り返されると、ファスナ自体が摩耗するため、使用中にスライドファスナが不用意に引き下がり易くなってしまうことがある。
【０００４】
また、図１３に示すように、気密室１を有するシート部材２の接合端部にスライドファスナ３を縫着し、この場合、スライドファスナ３の開閉始端４は、気密室１の端部近傍に設けられているため、気密室１の膨張時にシート部材２に対して同図の矢印に示すように、スライドファスナ３を中心に反対方向に分布される分力ｆが発生する。
この分力ｆによって、スライドファスナ３は引き下げる方向（矢印イ）に力が与えられて、スライドファスナ３は使用時にみだりに引き下げられてしまう問題点を有していた。
【０００５】
この問題点の対策として特開２０００−９３４７３号公報が開示されている。同公報の方式は、カフの長手方向に沿ってスライドファスナを縫着させ、更に、スライドファスナの開閉始端側をカフの接合端部より突出させた延長部を設けた構造である。
【０００６】
【発明が解決しようとする課題】
しかしながら、上記の公報に示したスライドファスナを突出させた取付構造は、通常、カバン等の袋物で多く用いられているものであるが、この構造をこの種の空圧マッサージ用空気袋に適用すると、依然として次のような課題点を有する。
【０００７】
即ち、スライドファスナ自体の開閉始端側をカフより突出させているため、ファスナの開閉始端の突出部分がカフに対してぶらぶら遊んだ状態で体裁にやや難点があり、しかも、その開閉操作性にも支障がある上に、ファスナの突出基部とカフとの取付部位に応力が集中するので、この部位より糸のほつれ等につながるおそれがあり、空気袋の耐久性の点においても課題を有している。
【０００８】
本発明は、上記の課題点に鑑みて開発したものであり、その目的とするところは、気密室を有する袋体の膨張・収縮時にみだりにスライドファスナが下がることを防止し、開閉時のスライドファスナの操作性が良好であり、しかも、スライドファスナの固着性も良く、耐久性にも優れた空圧マッサージ器用圧迫具を提供することにある。
【０００９】
【課題を解決するための手段】
上記の目的を達成するため、請求項１に係る発明は、複数の気密室より成る袋体に圧縮空気を供給・膨張させる空圧マッサージ器用圧迫具であって、前記袋体の接合端部に設けたスライドファスナの袋体端部を延設させた延設部にスライドファスナの開閉始端を設け、この開閉始端より内方に位置する袋体の延設部に、前記袋体の膨張時にスライドファスナを境界として発生する分力によってスライドファスナが下方に押し下げられるのを防止する端部領域を設けた空圧マッサージ器用圧迫具である。
【００１０】
また、請求項２に係る発明は、袋体の端部の全体又は一部を延設させた位置にスライドファスナの開閉始端を設けた空圧マッサージ器用圧迫具である。
【００１１】
【発明の実施の形態】
以下に、本発明における空圧マッサージ器用圧迫具の好ましい実施形態を図面に基づいて説明する。図１は、脚部位に圧迫具を装着した状態を示す斜視図であり、図２は、その圧迫具の正面図であり、図３は腕部位に装着する圧迫具の正面図、図４及び図５は、それぞれの圧迫具を拡げた状態の正面図である。
【００１２】
本発明における空圧マッサージ器用圧迫具は、図６と図７に示すように二枚のシート部材１０ａ，１０ｂを重ね合わせ、周囲を高周波加熱手段などにより溶着して一つの袋体１０を形成し、更に、短手方向に沿って溶着して、複数個の気密室１１，１２，１３，１４を形成し、更に、膝部位に略Ｕ字形の切欠部１５を形成し、全体の形状が略脚形となるように構成している。
【００１３】
外側のシート部材１０ａと内側のシート部材１０ｂは、非通気性の樹脂製シートであり、素材はウレタン樹脂、ポリ塩化ビニル樹脂などの合成樹脂から適宜選択する。
なお、この袋体１０は、複数個の気密室を有するシート本体を別部材のカバー部材で被覆したものであっても良く、或は、その他の構造でも良い。
【００１４】
また、袋体１０の長手方向の接合部位には、スライダ１６ａを有するスライドファスナ１６を縫着又は接着等により取付け、スライドファスナ１６の開閉始端１７は、図８に示すように、袋体１０の端部の一部を延設させた延設部２４の位置に設けている。即ち、袋体１０の気密室１２の溶着部１２ａからシート部材１０ａ、１０ｂの端部の一部を図１１に示す従来のシート部材２における長さｘより大である長さＸだけ延設させた位置にスライドファスナ１６の開閉始端１７を配設し、袋体１０の膨張時にスライドファスナ１６を境界として発生する分力Ｆによってスライドファスナ１６が下方に押し下げられるのを防止する端部領域１８を設けている。
【００１５】
次に、図３及び図５は、腕に装着してマッサージするための圧迫具であり、この圧迫具は、上記の脚に装着するものと同一の構造を成しているが、全体の形状が略腕形となるように形成されている。
【００１６】
この腕用の圧迫具は、袋体１０の気密室１１の溶着部１１ａからシート部材１０ａ，１０ｂの端部の全体を図１２に示す従来のシート部材２における長さｙより大である長さＹだけ延設させた延設部２４の位置にスライドファスナ１６の開閉始端１９を配設し、袋体１０の膨張時にスライドファスナ１６を境界として発生する分力Ｆによってスライドファスナ１６が下方に押し下げられるのを防止する端部領域２０を設けている。
なお、図８〜図１２における長さｘ，ｙは、スライドファスナの長さ方向と交叉する気密室に設けられた溶着部までの距離であり、この長さは、通常の袋体の外周囲を溶着した溶着部と袋体の外周縁の距離をｘまたはｙとしている。
【００１７】
また、図１に示すように、袋体１０の各気密室１１，１２，１３，１４に設けられた圧縮空気出入口２１と圧縮空気供給源（コンプレッサ）２２とをそれぞれエアホース２３を介して接続されている。
【００１８】
次に上記実施形態の作用を説明する。使用に際して、図１に示すように、圧迫具を脚又は腕に巻き付けてスライドファスナ１６で袋体１０を装着する。
そして、コンプレッサなどの圧縮空気供給源２２を駆動させると、エアホース２３を接続した気密室１１〜１４が順次、膨張・収縮を繰り返しながら血行を促進させる効果的なマッサージが行われる。
【００１９】
このとき、袋体１０の端部の全体又は一部を延設させた位置にスライドファスナ１６の開閉始端１７，１９を設けているので、図１０に示すように袋体１０の膨張時にスライドファスナ１６を境界として発生する分力Ｆによってスライドファスナ１６が下方に押し下げられるのを防止する端部領域１８，２０を設けている。従って、袋体１０と気密室１１〜１４の膨張力は、スライドファスナ１６を引き下げる方向イよりも引き下げる方向ロに作用するので、スライドファスナ１６は閉める方向に働くため、使用中にスライドファスナ１６が開き方向に作用することなく、みだりに引き下がるおそれがない。
【００２０】
また、使用を終了した後は、袋体１０の端部を指で摘んで、そのままスライドファスナ１６のスライダ１６ａを引き下げることによって袋体１０を脚や腕等のマッサージ部位より確実に取り除くことができ、その操作性は、極めて簡便であると共に、スライドファスナ１６の開閉始端１７，１９が袋体１０より突出片として突出しているので、製品のデザインを損なうこともない。
【００２１】
【発明の効果】
以上のことから明らかなように、本発明によると、袋体の膨張・収縮時によるスライドファスナの不用意な引き下がりを確実に防止でき、しかも、袋体の端部領域にスライドファスナの開閉始端を設けたので、スライドファスナの開閉時の操作性が著しく向上する。
【００２２】
更に、スライドファスナの開閉時の力や袋体の膨張時の力が袋体の素材自体にも分散されるので、スライドファスナが袋体の接合端部から損傷して糸のほつれ等がおこるおそれはない。
【図面の簡単な説明】
【図１】本発明における空圧マッサージ器用圧迫具を脚に装着した使用例を示す斜視図である。
【図２】空圧マッサージ器用圧迫具の脚用例を示した正面図である。
【図３】空圧マッサージ器用圧迫具の腕用例を示した正面図である。
【図４】図２の圧迫具を開いて示した正面図である。
【図５】図３の圧迫具を開いて示した正面図である。
【図６】図４のＡ−Ａ線断面図である。
【図７】図５のＢ−Ｂ線断面図である。
【図８】図２の一部切欠き拡大図である。
【図９】図３の一部切欠き拡大図である。
【図１０】本発明における圧迫具の作用例を説明した一部切欠き部分説明図である。
【図１１】従来例を示した袋体の部分説明図である。
【図１２】従来例を示した袋体の部分説明図である。
【図１３】従来例における袋体の作用を説明した一部切欠き部分説明図である。
【符号の説明】
１０  袋体
１０ａ，１０ｂ  シート部材
１１，１２，１３，１４  気密室
１６  スライドファスナ
１７，１９  開閉始端
１８，２０  端部領域
２４  延設部
Ｆ  分力
Ｘ，Ｙ  長さ
【図１】
0003703382.tif 000002
【図２】
0003703382.tif 000003
【図３】
0003703382.tif 000004
【図４】
0003703382.tif 000005
【図５】
0003703382.tif 000006
【図６】
0003703382.tif 000007
【図７】
0003703382.tif 000008
【図８】
0003703382.tif 000009
【図９】
0003703382.tif 000010
【図１０】
0003703382.tif 000011
【図１１】
0003703382.tif 000012
【図１２】
0003703382.tif 000013
【図１３】
0003703382.tif 000014